(57)【特許請求の範囲】
【請求項１】
第１の副側部および第２の副側部と、第１の主側部および第２の主側部と、によって画定される、対向して配置された第１の主面および第２の主面を含み、前記第１の主面が下側のカラー部と上側のバンド部とを含む、可撓性を有する支持体と、
前記上側のバンド部に固着され、前記支持体の前記第１の副側部と前記第２の副側部との間に延在する複数の可撓性を有するバンド部材と、を備え、
前記バンド部材は各々、第１の端および第２の端を含み、前記第１の端および前記第２の端は、当該第１の端と第２の端とを連結するための取付機構を有し、前記バンド部材同士は、スペース領域によって互いに分離されており、
前記上側のバンド部は、前記下側のカラー部と前記第１の主側部の間に配置され、前記下側のカラー部は、前記上側のバンド部から前記第２の主側部に延在し、
前記バンド部はすべて、前記下側のカラー部にはない、あらかじめ形成された胃バンド。
【請求項２】
前記支持体は、
非生体吸収性層と、
生体吸収性層と、をさらに含む、請求項１に記載のあらかじめ形成された胃バンド。
【請求項３】
前記支持体の前記スペース領域は、前記第１の副側部と前記第２の副側部との間に延在するミシン目を含む、請求項１に記載のあらかじめ形成された胃バンド。
【発明の詳細な説明】
【技術分野】
【０００１】
本発明は主に、あらかじめ形成された胃バンドに関し、特に、胃バイパス術後の胃嚢の拡張を予防または低減するための、あらかじめ形成された胃バンドに関する。
【背景技術】
【０００２】
病的肥満は、重大な医学的状態である。病的肥満には、高血圧、糖尿病、冠動脈疾患、脳卒中、鬱血性心不全、さまざまな整形外科的障害、寿命が著しく短くなる肺動脈弁閉鎖不全症などが合併症として付随する。この点を考慮すると、病的肥満に付随する金銭的および物理的なコストは相当なものである。実際、肥満に関連したコストは、米国だけでも１０００億ドルを超えると推定される。
【０００３】
肥満を治療するために、多岐にわたる術式が開発されてきた。現在行われている最も一般的な術式は、ルーワイ胃バイパスである。この術式は極めて複雑で、通常は、病的肥満が認められる人々の治療に用いられている。減量手術の他の形態として、フォビパウチ術、胆膵路変更術、胃形成すなわち「ストマックステープリング」があげられる。また、胃での食物の通り道を制限して満腹感に作用する、体内装着可能な器具が知られている。
【発明の概要】
【発明が解決しようとする課題】
【０００４】
これらの術式には多くの利点があるにもかかわらず、依然として欠点が残っている。たとえば、こうした術式で作られた胃嚢は、時間が経過すると拡張し、それによって体重を元に戻してしまう可能性があることがわかっている。このような患者では、胃嚢の拡張を予防または低減する目的で、外科医がシラスティックバンドを作り、これを胃嚢に巻きつける「バンディングを併用するバイパス」術を行う。しかしながら、外科医が手術室でバンドを作らなければならず、それには３０分、あるいはそれ以上も要することがあるため、このプロセスは煩雑である。それに、このようなバンドは、一旦装着されると、破損した場合に、あらためて侵襲的な手術が必要になる。
【課題を解決するための手段】
【０００５】
本発明は主に、あらかじめ形成された胃バンドに関し、特に、胃バイパス手術後の胃嚢の拡張を予防または低減するための、あらかじめ形成された胃バンドに関する。本発明の一態様は、可撓性を有する支持体と複数のバンド部材とを備える、あらかじめ形成された胃バンドを含む。可撓性を有する支持体は、第１の副側部および第２の副側部と、第１の主側部および第２の主側部と、によって画定される、対向して配置された第１の主面および第２の主面を含む。第１の主面は、下側のカラー部と上側のバンド部とを含む。複数の可撓性を有するバンド部材は、上側のバンド部に固着され、支持体の第１の副側部と第２の副側部との間に延在する。バンド部材は各々、第１の端および第２の端を含む。この第１の端および第２の端は、第１の端と第２の端とを連結するための取付機構を有する。バンド部材同士は、スペース領域によって互いに分離されている。
【０００６】
本発明のもうひとつの態様では、被術者の胃嚢の膨張を制限するための方法が提供される。この胃嚢は、減量手術で形成され、吻合部を含む。この方法の一工程は、可撓性を有する支持体と、その表面に配置された複数のバンド部材と、を備える胃バンドを提供することを含む。可撓性を有する支持体は、第１の副側部および第２の副側部と、第１の主側部および第２の主側部と、によって画定される、対向して配置された第１の主面および第２の主面を含む。第１の主面は、下側のカラー部と上側のバンド部とを含む。複数の可撓性を有するバンド部材は、上側のバンド部に固着され、支持体の第１の副側部と第２の副側部との間に延在する。バンド部材は各々、第１の端および第２の端を含み、この第１の端および第２の端は、当該第１の端と第２の端とを連結するための取付機構を有する。バンド部材同士は、スペース領域によって互いに分離されている。胃嚢の寸法を求めた後、求めた胃嚢の寸法に基づいて、胃バンドの大きさを任意に加減してもよい。その後、胃バンドを胃嚢に固定する。この胃バンドは、胃嚢の拡張を予防または低減する。
【０００７】
＝＝関連出願＝＝
本出願は、２０１０年１１月１日にファイルされた米国仮特許出願第６１／４０８，７４３号の優先権の利益を主張するものであり、その主題を本明細書に援用する。
【図面の簡単な説明】
【０００８】
本発明の上記の特徴および他の特徴は、添付の図面を参照してなされる以下の説明を読めば、本発明が関連する分野の当業者らにとって明らかになるであろう。
【図１Ａ】可撓性を有する支持体と、これに固着された複数の可撓性を有するバンド部材とを備え、本発明の一態様によって構成される、あらかじめ形成された胃バンドの（伸ばした状態での）斜視図である。
【図１Ｂ】図１Ａに示す胃バンドを、この胃バンドの副側部側から見た側面図である。
【図１Ｃ】図１Ｂの胃バンドの別の構成を示す側面図である。
【図１Ｄ】図１Ａの胃バンドを、筒状に丸めた状態で示す斜視図である。
【図２Ａ】図１Ａのバンド部材のうちの１つの係合していない取付機構を示す斜視図である。
【図２Ｂ】図２Ａの取付機構を係合状態で示す斜視図である。
【図２Ｃ】図２Ａの取付機構の別の構成を示す斜視図である。
【図２Ｄ】図２Ｃの取付機構を係合状態で示す斜視図である。
【図２Ｅ】図２Ａの取付機構の別の構成を示す斜視図である。
【図２Ｆ】図２Ｅの取付機構を係合状態で示す斜視図である。
【図２Ｇ】図２Ａの取付機構の別の構成を示す斜視図である。
【図２Ｈ】図２Ｇの取付機構を係合状態で示す斜視図である。
【図３】正常な胃腸管（ＧＩ）の解剖学的形態を示す概略図である。
【図４】ルーワイバイパス後のＧＩの解剖学的状態を示す概略図である。
【図５】図１Ａの胃バンドを胃嚢の寸法に合わせた状態を示す概略図である。
【図６】図５の胃バンドを胃嚢に巻きつけた状態を示す示す概略図である。
【図７】胃嚢に固定された図６の胃バンドを示す概略図である。
【発明を実施するための形態】
【０００９】
本発明は主に、あらかじめ形成された胃バンドに関し、特に、胃バイパス術後の胃嚢の拡張を予防または低減するための、あらかじめ形成された胃バンドに関する。図１Ａ〜図１Ｄは、胃バイパス術後の胃嚢１２（図４）の拡張を予防または低減するための、あらかじめ形成された胃バンド１０を含む本発明の一態様を示す。バンディングを併用するバイパス術の途中で手術室（ＯＲ）で作らなければならない従来技術の胃バンドとは異なり、本発明では、容易にサイズ変更が可能で、すみやかに装着できる、あらかじめ形成された胃バンド１０（図１Ａ）を提供することによって、手術に必要な時間を短縮する。また、本発明のあらかじめ形成された胃バンド１０は、胃バンドを交換する必要が生じた場合に、容易に取り出すことが可能である。このため、あとから侵襲的な手術をする必要がない。
【００１０】
Ｉ．あらかじめ形成された胃バンド
本発明の一態様は、可撓性を有する支持体１４と、これに固着された複数のバンド部材１６とを備える、あらかじめ形成された胃バンド１０を提供する。胃バンド１０は、バンディングを併用するバイパス手術の前に形成される。バンディングを併用するバイパス手術は、すでに形成された胃嚢１２（図４）に「バンドを巻きつけて」、後に胃嚢が拡張するのを予防または低減する術式である。胃バンド１０（図１Ａ）は、伸ばした状態（図１Ａに示す）と筒状に丸めた状態（図１Ｄ）との間で変形可能である。上述したように、手術の前に胃バンド１０を形成すると、手術室で外科医がそれぞれのバンドを新たに作る必要がなくなり重要な時間を節約できるため、利点がある。
【００１１】
（ａ）可撓性を有する支持体１４
本発明のもうひとつの態様では、あらかじめ形成された胃バンド１０は、胃嚢１２（図４）に取り付けるための可撓性を有する支持体１４を備える。可撓性を有する支持体１４（図１Ａ）は、複数のバンド部材１６を取り付けるためのプラットフォームとして機能する。また、支持体１４は、支持体を実質的に胃嚢１２（図４）の全体に巻きつけられるように、十分に可撓性すなわち柔軟である。支持体１４は、図１Ａ〜図１Ｄには略矩形で示されているが、支持体を胃嚢１２（図４）の実質的に全体に巻きつけることができれば、支持体がどのような形状であっても構わないことは自明であろう。
【００１２】
図１Ａ〜図１Ｂに示すように、支持体１４は、対向して配置された第１の主面１８および第２の主面２０を備える。第１の主面１８および第２の主面２０は、第１の副側部２２および第２の副側部２４と、第１の主側部２６および第２の主側部２８とによって画定されている。第１の副側部２２および第２の副側部２４は、支持体１４の幅Ｗをほぼ画定し、第１の主側部２６および第２の主側部２８は、支持体の長さＬをほぼ画定する。支持体１４の実際の寸法は、個々の被術者の解剖構造に応じて変わることになるが、支持体の幅Ｗを約２ｃｍから約８ｃｍにすることができ、支持体の長さＬを約４ｃｍから約１０ｃｍにすることができる。本発明の一例では、支持体１４の幅Ｗを約４ｃｍにすることができ、長さＬを約６．５ｃｍにすることができる。
【００１３】
支持体１４の第１の主面１８は、下側のカラー部３０と、上側のバンド部３２とを含む。上側のバンド部３２は、複数のバンド部材１６を収容し、これを固定するのに適するようにされている。下側のカラー部３０は、上側のバンド部３２を、胃バイパス術の一環で形成される吻合部３４（図４）から守るよう構成される。図１Ａに示すように、第１の主面１８の外周面上のバンド部材１６が存在しないすなわち欠如している部分が、支持体１４の下側のカラー部３０を画定する。上側のバンド部３２と下側のカラー部３０の寸法は、必要に応じて変更可能であり、必ずしも互いに等しいとはかぎらない。詳細については後述するように、胃バンド１０を装着する前に上側のバンド部３２および／または下側のカラー部３０の大きさを変更（たとえば、切り取るなど）し、胃嚢１２（図４）の解剖構造に合わせることが可能である。
【００１４】
支持体１４の全体または一部のみに、装着後の胃バンド１０が遠位側に動いてしまうのを防止するための少なくとも１つの毛状突起（図示せず）をさらに含むことも可能である。この毛状突起は、支持体１４の第２の主面２０の外周面に配置可能であり、支持体と同一の材料で形成されても、異なる材料で形成されてもよい。また、毛状突起は、第２の主面２０とは別のものとしてこれに取り付けられてもよいし、第２の主面２０と一体に形成されてもよい。胃バンド１０を被術者に装着すると、毛状突起は胃嚢１２（図４）および／または吻合部３４に接触し、支持体１４が遠位側の吻合部８４に向かって遠位方向に移動するのを防止することができる。
【００１５】
支持体１４（図１Ａ）は、追加でまたは任意に、第１の副側部２２と第２の副側部２４との間に延在する少なくとも１本のミシン目（点線で示す）を含む。詳細については後述するように、ミシン目を用いると、胃バンド１０の装着前に、（たとえば、切り取るか引っ張る力によって）支持体１４の１つまたは２つ以上の規定部分を容易に取り除くことができる。たとえば、胃嚢１２（図４）の実寸がわかった時点で、支持体１４の幅Ｗを手術室内ですみやかに調節することができる。このように、支持体１４に形成した１本以上のミシン目（図１Ａ）によって、手術室内で胃バンド１０を微調整するのに必要な時間と労力を削減することが可能である。
【００１６】
支持体１４の少なくとも一部は、生体吸収性材料および／または非生体吸収性材料で作られる。生体吸収性材料は、少なくとも一部が生体によって吸収され、たとえば、生体吸収性ポリマーまたはコポリマーの１種類または組み合わせがあげられる。生体吸収性ポリマーは、その分解によって生じる副生成物が、被術者の体内で自然な経路を介して生物同化または排泄されるポリマーを含むものであってもよい。材料の吸収速度または分解速度が、所望の時間（たとえば１年など）をかけて実質的にすべての材料が分解または吸収されるような対数的なものであっても構わないことは、自明であろう。生体吸収性ポリマーの例として、ポリグリコール酸（ＰＧＡ）、ポリ乳酸（ＰＬＡ）、ポリカプロラクトンまたはポリヒドロキシアルカノエートならびに、胃バンド１０を装着予定の被術者から、別の人からあるいは、組織工学のプロセスで得られる、心膜組織、コラーゲンまたは他の生体材料または組織などの組織ベースの材料をあげることができる。非生体吸収性材料の例として、ポリプロピレン、ポリエチレン、テレフタラート、ポリテトラフルオロエチレン（ＰＴＦＥ）、延伸ＰＴＦＥ（ｅＰＴＦＥ）、ポリアリールエーテルケトン、ナイロン、フッ素化エチレンプロピレン、ポリブタエステル（polybutester）、シリコーンおよび／またはこれらのコポリマーなどの非吸収性ポリマーをあげることができる。
【００１７】
本発明の一例では、支持体１４の少なくとも一部を、生体吸収性および／または非生体吸収性のメッシュで作製することが可能である。生体吸収性および／または非生体吸収性のメッシュは、互いに離れた複数の孔すなわち開口を有する目の粗い材料、布帛または構造体を含むものであってもよい。たとえば、支持体１４は、非吸収性ｅＰＴＦＥメッシュで作製されてもよいし、あるいは、ポリグリコール酸：トリメチレンカーボネート繊維（たとえば、W.L. Gore & Associates, Flagstaff, AZから市販されているＧＯＲＥ  ＢＩＯ−Ａなど）製の生体吸収性の合成メッシュで作製されてもよい。このメッシュは、組織内殖および／または生体吸収（すなわち、メッシュが生体吸収性材料からなる場合）を促進するために、少なくとも部分的に多孔性である。メッシュの孔の大きさは、胃バンド１０の意図した構成に応じて、同一であっても、ばらついていてもよい。
【００１８】
支持体１４は、単層構成（図１Ａ〜図１Ｂ）であっても多層構成（図１Ｃ）であってもよい。図１Ｃに示すように、たとえば、支持体１４は、同一または異なる材料で作られた、互いに隣接する第１の層３６および第２の層３８を含むものであってもよい。たとえば、第１の層３６が非生体吸収性材料からなるものであってもよく、第２の層３８は生体吸収性材料からなるものであってもよい。あるいは、第１の層３６を含む材料のほうが、第２の層３８よりも吸収速度が遅くても構わない。また、第１の層３６および第２の層３８を形成するのにメッシュ材料を用いる場合、第１の層は、第２の層より孔の密度が高くてもよいし、あるいは、第１の層のほうが、第２の層より孔の大きさが小さくてもよい。
【００１９】
（ｂ）可撓性を有するバンド部材１６
本発明のもうひとつの態様では、複数の可撓性バンド部材１６が、支持体１４の第１の主面１８に固着されている。バンド部材１６は、１つの取付具または複数の取付具（たとえば、縫い目、クリップ、接着剤など）（図示せず）の組み合わせを用いて、支持体１４の第１の主面１８に固定配置または装着可能である。あるいは、１本または２本以上のバンド部材１６を、支持体１４全体の中または支持体１４の一部だけの中に配置することも可能である。バンド部材１６は、胃嚢１２（図４）に食物塊を通過させられるよう十分に可撓性または弾性であり、かつ、時間の経過とともに胃嚢が過剰に拡張し、不安定になるのを防げるだけの剛性を有する。
【００２０】
図１Ａ〜図１Ｄにはバンド部材１６を３本しか示していないが、支持体１４に何本のバンド部材を連結してもよいことは、自明であろう。詳細については後述するように、バンド部材１６は、一度装着されると、胃嚢１２（図４）の外周に十分な張力を提供する。実質的に均一な張力が長期にわたって確実に印加されるようにするために、胃バンド１０の一部として２本または３本以上のバンド部材１６（図１Ａ）を含むようにして、これらのバンド部材のうちの１本が破損したり機能しなくなったときのために、支持機構を冗長化しておくと望ましいことがある。
【００２１】
バンド部材１６は各々、支持体１４の第１の副側部２２と第２の副側部２４との間に延在し、シラスティック材料（たとえば、シリコーンなど）またはナイロン（たとえば、２ｍｍのナイロン環など）といった可撓性かつ生物学的に不活性な材料で作製される。また、バンド部材１６は各々、長さが、支持体１４の長さＬと実質的に等しい。バンド部材１６は各々、スペース領域４０によって互いに離れている。スペース領域４０は、幅を約２ｍｍから約７ｍｍにすることができる。本発明の一例では、スペース領域４０は、幅を約５ｍｍにすることができる。各スペース領域４０は、追加でまたは任意に、少なくとも１本のミシン目を含んでもよい。上述したように、ミシン目を設けることで、胃バンド１０の装着前に、支持体１４の１つまたは複数の規定部分を（たとえば、切り取るか引っ張る力によって）容易に取り除くことができるようになる。
【００２２】
図２Ａ〜図２Ｈを参照すると、バンド部材１６は各々、第１の端４２および第２の端４４を含み、この第１および第２の端は、相互連結用の取付機構を含む。通常、取付機構は、第１の端４２と第２の端４４とをしっかり係合させることで各バンド部材１６をリング状にする、オス／メスでの連結、摩擦係止による連結、圧入または磁石による連結のうちの１つまたは組み合わせを含み得る。図示はしていないが、バンド部材を何かで支えて開いたままにしておく必要が生じた場合に、近くにある構造体に穴をあけてしまう２つの別々の端ができてしまわないように、バンド部材１６が各々、取付機構とは実質的に逆の破断点を含んでもよいことは自明であろう。図２Ａ〜図２Ｈには多岐にわたる取付機構を図示するが、いずれも例示を意図したものにすぎず、本発明を限定するものではない。
【００２３】
取付機構の一例を図１Ａ〜図２Ｂに示す。取付機構は「ジップタイ」状に構成され、バンド部材１６の第１の端４２に配置された、複数の歯があり平らで可撓性を有する返し付き先端部４６（図２Ａ）を含む。返し付き先端部４６は、剛性材料で作られても半剛性材料（たとえば、金属、金属合金またはプラスチックなど）で作られてもよく、バンド部材１６自体と一体に形成されてもよいし、別に取り付けられても（たとえば、埋め込まれるなど）よい。バンド部材１６の第２の端４４は、返し付き先端部が挿入される開口部４８を含み得る。図２Ｂに示すように、返し付き先端部４６は、開口部４８と嵌合してリング構造を形成可能である。得られるリング構造の直径は、返し付き先端部の歯５０が開口部の外周に順次「係止」されて適所におさまるよう返し付き先端部４６を開口部４８に通して前進させることで、調節（たとえば縮径）可能である。
【００２４】
取付機構のもうひとつの例を、図２Ｃ〜図２Ｄに示す。図２Ａ〜図２Ｂの取付機構と同様に、バンド部材１６の第１の端４２は、複数の歯が設けられた平坦で可撓性を有する返し付き先端部４６を含む。バンド部材１６の第２の端４４は、返し付き先端部４６の全体または一部のみを挿入するのに合った形状の空洞部５２を含む。図２Ｄに示すように、返し付き先端部４６を空洞部５２に挿入した後、歯５０が空洞部内で適所に「係止」されるまで返し付き先端部を少しずつ前進させることで、取付機構によって形成されるリング構造を所望の直径に調節（たとえば縮小）することができる。
【００２５】
取付機構のもうひとつの例を図２Ｅ〜図２Ｆに示す。この取付機構は、バンド部材１６の第１の端４２および第２の端４４に（それぞれ）固定装着された第１のベルクロ部５４および第２のベルクロ部５６（図２Ｅ）を備える。ほとんどの使用者はベルクロで留めることに慣れており、ベルクロなら何段階にも調節が可能で製造も比較的容易であることから、ベルクロ部５４および５６を使用すると都合がよい。バンド部材１６の外周面上の第１のベルクロ部５４および第２のベルクロ部５６の大きさと位置は、第１のベルクロ部と第２のベルクロ部とが互いに接した（図２Ｆ）ときに、第１の端４２と第２の端４４が互いに固定して留められるよう構成されている。第１のベルクロ部５４および第２のベルクロ部５６は、ナイロンなどの１種類または２種類以上の生体適合性材料で作製可能である。
【００２６】
取付機構のもうひとつの例を図２Ｇ〜図２Ｆに示す。概して、この取付機構は、一般的な照明器具のプルスイッチに似た構成を持つものであればよい。たとえば、バンド部材１６の第１の端４２に受け部材５８を含むことができ、バンド部材の第２の端４４に、空間的に離れた複数の接続部材６０を含むことができる。受け部材５８および接続部材６０は、バンド部材１６と同一の材料で形成されてもよいし、異なる材料で形成されてもよい。また、受け部材５８および接続部材６０は、バンド部材１６自体に別のものとして取り付けられてもよいし、バンド部材と一体の部品として（たとえば成形されるなど）形成されてもよい。図２Ｈに示すように、受け部材５８は、接続部材６０のうちの１つと嵌合して、リング構造を形成可能である。受け部材５８を接続部材６０の別の１つと嵌合させることで、リング構造の直径を必要に応じて調節することができる。
【００２７】
ＩＩ．使用方法
胃バイパス術は通常、（１）（たとえば胃の有効容積を減らすなどして）食事摂取量減少効果を生み出すおよび／または（２）（たとえば腸バイパスの施術などによって）栄養吸収阻害効果を生み出すという２つの機序のうちの少なくとも１つによって体重減少を促すことを目的とする。本発明は、病的肥満患者の体重を減少させる多岐にわたる外科的な胃バイパス術の効果を高めるのに用いられる。たとえば、本発明には、ルーワイ胃バイパス（ＲＹＧＢ）、袖状胃切除術、十二指腸変更または胆膵路変更を伴う袖状胃切除術、垂直胃形成術（ＶＢＧ）、バイパスを併用したＶＢＧ、Magenstrasse and Mill法、調節性胃バンディング、再建手術での用途があり得る。
【００２８】
正常で自然のままの胃の解剖学的形態を、図３に示す。同図には、食道６２、食道胃接合部６４、胃６６、幽門部６８、十二指腸７０、空腸７２を示してある。上述したものなどの胃バイパス術では、胃バンディング以外、被術者の胃腸管の解剖学的形態を永久に変えている。
【００２９】
本発明の一態様では、被術者の胃嚢１２の拡張を抑えるための方法が提供される。上述したように、胃嚢１２は、胃バイパス術の施術中に形成可能である。上述したいくつかの胃バイパス術に共通するように、胃嚢１２が、（たとえば腸管部分７４を有するなどの）吻合部３４を含むこともある。本発明の一例では、胃嚢１２は、腹腔鏡下ＲＹＧＢの施術中に形成可能である。図４は、ＲＹＧＢ後の解剖学的状態を示し、これには食道６２、食道胃接合部６４、胃嚢１２（neo-stomachと呼ばれることもある）、胃嚢のステープルまたは縫合線７６、バイパスされた胃のステープルまたは縫合線７８、バイパスされた胃８０および幽門部６８、十二指腸７０、近位の吻合部３４、Ｒｏｕｘ脚８２、遠位の腸管吻合部８４を含む。
【００３０】
この方法の一工程は、胃バンド１０（図５）を提供することを含む。上述したように、胃バンド１０は、複数の可撓性を有するバンド部材１６が連結された可撓性を有する支持体１４を備える。本発明の一例では、胃バンド１０は、図１Ａ〜図１Ｂに示すものと同様の構成を有するものであればよい。たとえば、胃バンド１０は、生分解性メッシュ支持体１４の第１の主面１８にそれぞれ固着された、第１のバンド部材１６’、第２のバンド部材１６’’、第３のバンド部材１６’’’を含み得る。胃バンド１０は、長さＬを約６．５ｃｍにすることができ、幅Ｗを約３〜４ｃｍにすることができる。また、各スペース領域４０の幅を約５ｍｍにすることができる。
【００３１】
胃バンド１０を提供した後、胃嚢の寸法を求めるために、胃嚢１２を可視化する。胃嚢１２の寸法は、たとえば開腹または腹腔鏡下での手術直後の肉眼所見で把握できる。あるいは、超音波、磁気共鳴画像法、核磁気共鳴などの既知の画像化方法のうちの１つまたは組み合わせを用いて、胃嚢１２の寸法を求めてもよい。
【００３２】
胃嚢１２の実寸に応じて、支持体１４の第２の主面２０を胃嚢の実質的に全体に巻きつけることができるように、胃バンド１０の大きさを任意に決定する。上述したように、支持体１４の一部を切り取るおよび／または１本または２本以上のバンド部材１６を取り除くことによって、胃バンド１０を最適な大きさにすることができる。支持体１４の幅Ｗを狭くする必要がある場合、たとえば、支持体１４の第１の主側部２６に引っ張る力（図５に暗色の矢印で示す）を加えることでミシン目に沿って支持体を引き裂き、第３のバンド部材１６’’’を取り除くことが可能である。
【００３３】
次に、支持体１４の第２の主面２０を胃嚢１２に接触させる。腹腔鏡下での手術時、たとえば、胃バンド１０を、第１のポート（図示せず）経由で配置することができ、その後、必要に応じて第２のポート（図示せず）経由で操作できる。図６に示すように、第２の主面２０は、支持体１４の下側のカラー部３０が吻合部３４の近位側にくるように胃嚢１２に巻きつけられる。下側のカラー部３０を図６に示すように配置することで、胃バンド１０の装着後にバンド部材１６’および１６’と吻合部３４とが不必要に接触して、場合によっては吻合部またはその付近がこすれたり裂けたりすることがなくなる。次に、第１のバンド部材１６’および第２のバンド部材１６’’それぞれの第１の端４２および第２の端４４が互いに隣接するまで、支持体１４を少しずつ胃嚢１２に巻きつけていく。その後、支持体１４を（たとえば縫い合わせるなどして）適所で固定する。
【００３４】
支持体１４を適所で固定し、第１のバンド部材１６’および第２のバンド部材１６’’それぞれの第１の端４２および第２の端４４が互いに隣接したら、各バンド部材の取付機構を操作して、胃嚢１２のまわりに胃バンド１０を固定する。各取付機構が、返し付き先端部４６と開口部４８の構成を持つ場合、第１のバンド部材１６’および第２のバンド部材１６’’が（上述したような）リング状になるように、返し付き先端部を開口部に嵌合すればよい。必要であれば、１つまたは複数の個々の返し付き先端部の歯５０が１つまたは複数のそれぞれの開口部の外周に順次「係止」されて適所におさまるよう１つまたは複数の返し付き先端部４６を１つまたは複数の開口部４８に通して前進させることで、リング状になった第１のバンド部材１６’および第２のバンド部材１６’’それぞれの直径を調節する（たとえば縮小するなど）ことが可能である。
【００３５】
第１のリング部材および第２のリング部材それぞれの張力は、胃嚢を過剰に拡張させることなく、食物塊が胃嚢に入り、胃嚢から出ることができるよう十分に規定されている。本発明は、新たに形成した胃嚢を、時間が経過しても安定した状態に保つ。これがゆえに、被術者の体重が戻ってしまう可能性が低減または排除される。
【００３６】
必要があれば、手術を追加する必要なく、胃バンドの全体または一部を取り出したり交換したりできることは自明であろう。たとえば、別に開腹手術または腹腔鏡下での手術を行う必要なく、内視鏡を用いる手技を行って、被術者から胃バンドの一部または全体を取り出すことができる。
【００３７】
本発明に関する上記の説明から、当業者であれば、改善、変更、改変に気づくであろう。このような改善、変更、改変は当業者の技能の範囲内であり、添付の特許請求の範囲に包含されることを想定している。
【図１Ａ】
0005681806.tif 000002
【図１Ｂ】
0005681806.tif 000003
【図１Ｃ】
0005681806.tif 000004
【図１Ｄ】
0005681806.tif 000005
【図２Ａ】
0005681806.tif 000006
【図２Ｂ】
0005681806.tif 000007
【図２Ｃ】
0005681806.tif 000008
【図２Ｄ】
0005681806.tif 000009
【図２Ｅ】
0005681806.tif 000010
【図２Ｆ】
0005681806.tif 000011
【図２Ｇ】
0005681806.tif 000012
【図２Ｈ】
0005681806.tif 000013
【図３】
0005681806.tif 000014
【図４】
0005681806.tif 000015
【図５】
0005681806.tif 000016
【図６】
0005681806.tif 000017
【図７】
0005681806.tif 000018